(57)【要約】【課題】簡単な構造で目地浮きを防止できるとともに、浴槽と浴室壁面との間の隙間に湯水が浸入を防ぐ浴槽目地の施工構造を提供する。【解決手段】浴槽と浴室壁面Ｗとの隙間を塞ぐ目地の構造であって、該構造は弾性軟質部材からなる目地部１と金属からなる浴槽バックハンガー部２とが一体的に構成され、上記目地部１は浴槽フランジ面３と浴室壁面Ｗとに密着する覆蓋部１１と、上記浴槽フランジ面３の先端垂下部３１の外周面に当接するパッキン部１２とからなるとともに、上記浴槽バックハンガー部２は浴室壁面Ｗにビス固定される固定部２１とこの固定部２１から分岐され上記先端垂下部３１を保持する保持片２２とからなり、予め浴室壁面Ｗに固定された上記浴槽バックハンガー部２に上記先端垂下部３１を挿入して施工する浴槽目地の施工構造。【選択図】図２
2006087652.tif 000002
【特許請求の範囲】
【請求項１】
浴槽と浴室壁面との隙間を塞ぐ目地の構造であって、該構造は弾性軟質部材からなる目地部と金属からなる浴槽バックハンガー部とが一体的に構成され、上記目地部は浴槽フランジ面と浴室壁面とに密着する覆蓋部と、上記浴槽フランジ面の先端垂下部の外周面に当接するパッキン部とからなるとともに、上記浴槽バックハンガー部は浴室壁面にビス固定される固定部とこの固定部から分岐して上記先端垂下部を保持する保持片とからなり、予め浴室壁面に固定された上記浴槽バックハンガー部に上記先端垂下部を挿入して施工する浴槽目地の施工構造。
【請求項２】
上記目地部を形成する弾性軟質部材が熱可塑性エラストマーである請求項１に記載の浴槽目地の施工構造。
【請求項３】
上記浴槽バックハンガー部を形成する金属がステンレススチールである請求項１に記載の浴槽目地の施工構造。
【請求項４】
上記浴槽バックハンガー部の固定部に設けられたビス孔近傍と浴室壁面との間に止水パッキンが周設された請求項１に記載の浴槽目地の施工構造。
【発明の詳細な説明】
【技術分野】
【０００１】
本発明は、浴槽と浴室壁面との間の隙間を埋める目地に関する。さらに詳しくは、浴槽フランジ面の先端垂下部と浴室壁面との間の隙間を埋める浴槽目地の施工構造に関する。
【背景技術】
【０００２】
例えば、ユニットバス内に浴槽を設ける場合、本願図５に示すように、浴室壁面Ｗに固定した浴槽バックハンガー５に浴槽のフランジ面６の先端垂下部６１を挿入し仮固定した後、図外の浴槽底部と床パンとの間にベース部材を嵌装し、浴槽を据え付けることが行われている。このとき、公知の浴槽目地の施工構造Ｂにおいては、止水パッキン８を介してビスＦで固定するとともに、浴槽と浴室壁面Ｗとの隙間に湯水が浸入することを防ぐため、矢印で示すように目地材７を打ち込み、目地材７の下部先端に設けられた係止部７１をフランジ面６の先端垂下部６１の外周面に凹設された係止用スリット６１１に係止させ、目地が浮かないように係止させている。他にも、同様な浴槽目地の施工構造が下記特許文献に提案されている。
【特許文献１】特開２００４−２０１７４８号公報（第１−３頁、第１、２図）
【発明の開示】
【発明が解決しようとする課題】
【０００３】
しかしながら、本願図５に示した目地の施工構造においては、目地材７の下部先端に係止部７１を周設するとともに、上記フランジ面６の先端垂下部６１の外周面にも係止用スリット６１１を凹設する必要があるため、浴槽に複雑な後加工を施す必要がある。本発明はこのような問題を解決して、浴槽に後加工することなく、簡単な構造で目地浮きを防ぐとともに、浴槽と浴室壁面との隙間に湯水が浸入することを防止する浴槽目地の施工構造を提供することを、その課題とする。
【課題を解決するための手段】
【０００４】
上記課題を解決するために、本発明においては、つぎのような技術的手段を講じている。すなわち、本発明によれば、浴槽と浴室壁面との隙間を塞ぐ目地の構造であって、該構造は弾性軟質部材からなる目地部と金属からなる浴槽バックハンガー部とが一体的に構成され、上記目地部は浴槽フランジ面と浴室壁面とに密着する覆蓋部と、上記浴槽フランジ面の先端垂下部の外周面に当接するパッキン部とからなるとともに、上記浴槽バックハンガー部は浴室壁面にビス固定される固定部とこの固定部から分岐して上記先端垂下部を保持する保持片とからなり、予め浴室壁面に固定された上記浴槽バックハンガー部に上記先端垂下部を挿入して施工する浴槽目地の施工構造が提供される。
【０００５】
上記目地部を形成する弾性軟質部材が熱可塑性エラストマーであることが好ましい。上記熱可塑性エラストマー（ＴＰＥ）は、熱可塑性樹脂とゴムの中間の性質を有しており、熱可塑性樹脂と同様に成形加工できるとともに、加工後はゴム弾性を持ち、スチレン系、オレフィン系、ポリエステル系、ポリアミド系等、種々のＴＰＥを用いることができる。また、上記浴槽バックハンガー部を形成する金属がステンレススチールであることが好ましい。本発明においては、上記熱可塑性エラストマーとステンレススチールとが一体的に成形されて用いられる。
【０００６】
上記浴槽バックハンガー部の固定部に設けられたビス孔近傍と浴室壁面との間に止水パッキンが周設されることが好ましい。止水パッキンとしては、合成ゴム系、シリコンゴム系等、公知の止水パッキンが用いられる。
【発明の効果】
【０００７】
請求項１に記載の発明は上記のとおりであり、予め浴室壁面にビス固定された浴槽バックハンガー部に浴槽フランジ面の先端垂下部を挿入して施工するため、簡単に施工できるとともに、施工後は上記浴槽バックハンガー部と一体的に構成された目地部がしっかりと止水し、目地浮きを防止する。
【０００８】
上記目地部を形成する弾性軟質部材が熱可塑性エラストマーであり、浴槽バックハンガー部を形成する金属がステンレススチールであるため、両者を一体的に成形してしっかりとした構造とされるとともに、浴槽フランジ面の先端垂下部を挿入後、この先端垂下部に巻き込まれた目地部の覆蓋部の先端ヒレ部を引き出すだけで、弾性的に元の形状に復帰し、浴槽フランジ面と浴室壁面との隙間全体に密着して水密性を保つことができる。
【０００９】
また、浴槽バックハンガー部の固定部に設けられたビス孔近傍と浴室壁面との間に止水パッキンが周設されているため、上記浴槽フランジ面の先端垂下部の外周面に当接するパッキン部とともに、浴室壁面と浴槽との隙間に湯水の浸入することを防ぎ、水密性を保つことができる。
【発明を実施するための最良の形態】
【００１０】
以下、本発明の実施形態について図面を参照して、詳細に説明する。図１は、本発明にかかる浴槽目地の施工構造Ａを示す縦断面図である。図１に矢印で示すように、上記施工構造Ａは、上方から浴槽フランジ面３の先端垂下部３１を押し込んで目地の施工を行う。図２は、施工後の浴槽目地の施工構造Ａを示す縦断面図である。図１、図２からよくわかるように、上記施工構造Ａは、目地部１と浴槽バックハンガー部２とが一体的に構成され、上記目地部１は上記浴槽フランジ面３と浴室壁面Ｗとに密着する覆蓋部１１と上記浴槽フランジ面３の先端垂下部３１の外周面に当接するパッキン部１２とからなるとともに、覆蓋部１１の先端はヒレ部１１１とされている。
【００１１】
また、上記浴槽バックハンガー部２は浴室壁面ＷにビスＦで固定される固定部２１とこの固定部２１から分岐され、浴槽フランジ面３の先端垂下部３１を保持する保持片２２とからなっている。さらに、止水パッキン４が上記固定部２１に設けられたビスＦのビス孔近傍と浴室壁面Ｗとの間に周設され、万一、覆蓋部１１から漏水しても、この止水パッキン４で湯水の浸入を防止するようにされている。
【００１２】
つぎに、図３を参照し、本発明にかかる浴槽目地の施工構造Ａを施工する手順について説明する。まず、固定用ビスＦを用い、止水パッキン４を介して上記施工構造Ａを浴室壁面Ｗに固定し、ついで、浴槽フランジ面３の先端垂下部３１を、上記浴槽バックハンガー部２の固定部２１と保持片２２との分岐部２３に挿入する。このとき、図３によく示されているように、上記覆蓋部１１の先端のヒレ部１１１は、挿入される浴槽フランジ面３の先端垂下部３１に巻き込まれる。しかしながら、上記ヒレ部１１１は覆蓋部１１と共に弾性を有する軟質部材から一体的に形成されているため、浴槽フランジ面３の先端垂下部３１を挿入し終わった後、ヒレ部１１１を引き出せば、覆蓋部１１全体が弾性的に元の形状に復帰し、浴槽フランジ面３と浴室壁面Ｗとの隙間全体を覆って密着し、止水することができる。
【００１３】
図４は、上記手順にしたがって、本発明の浴槽目地の施工構造Ａをコの字形に施工した浴槽を示す平面図である。図２、図４から、上記覆蓋部１１が浴槽フランジ面３と浴室壁面Ｗとの隙間に密着して止水することが明らかであり、また、図２からパッキン部１２が湯水の浸入を防止するとともに、止水パッキン４が上記固定部２１に設けられたビス孔近傍と浴室壁面Ｗとの間に周設され、湯水の浸入を防ぎ、水密性を良好に保つことが明らかである。
【図面の簡単な説明】
【００１４】
【図１】本発明にかかる浴槽目地の施工構造を示す縦断面図である。
【図２】施工後における本発明の浴槽目地の施工構造を示す縦断面図である。
【図３】上記浴槽目地の施工構造の施工手順を示す縦断面図である。
【図４】上記浴槽目地の施工構造をコの字形に施工した浴槽を示す平面図である。
【図５】公知の浴槽目地の施工構造を示す縦断面図である。
【符号の説明】
【００１５】
Ａ          本発明にかかる浴槽目地の施工構造
１          目地部
１１        覆蓋部
１１１      ヒレ部
１２        パッキン部
２          浴槽バックハンガー部
２１        固定部
２２        保持片
２３        分岐部
３          浴槽フランジ面
３１        先端垂下部
４          止水パッキン
Ｂ          公知の浴槽目地の施工構造
５          公知の浴槽バックハンガー
６          浴槽フランジ面
６１        先端垂下部
６１１      係止用スリット
７          公知の目地材
７１        係止部
８          止水パッキン
Ｆ          固定用ビス
Ｗ          浴室壁面
【図１】
2006087652.tif 000003
【図２】
2006087652.tif 000004
【図３】
2006087652.tif 000005
【図４】
2006087652.tif 000006
【図５】
2006087652.tif 000007